(57)【要約】    【課題】プラズマディスプレイパネル自体が振動することによる異常音を除去することが可能なプラズマディスプレイパネルの駆動方法を提供することを目的とする。    【解決手段】入力映像信号によって示される輝度レベルに応じた数だけ連続したサブフィールド各々において放電セルを放電発光させるべき駆動パルスを印加するにあたり、入力映像信号の最大輝度レベルが所定輝度レベルよりも低い場合には所定の１サブフィールドに後続するサブフィールド各々の内の少なくとも１のサブフィールドにおいて上記駆動パルスの印加を停止する。    【選択図】  図４
2006251336.tif 000002
【特許請求の範囲】
【請求項１】
複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、
前記単位表示期間内において連続配置されたＭ個（Ｍ：Ｎ以下の整数）のサブフィールドからなる特定サブフィールド群内において、入力映像信号によって示される輝度レベルに応じた数だけ先頭のサブフィールドから連続したサブフィールド各々からなる点灯維持サブフィールド群内の各サブフィールドで前記放電セルを点灯モードに設定する一方、前記点灯維持サブフィールド群に後続するサブフィールド各々では前記放電セルを消灯モードに設定すると共に、前記サブフィールド各々内において前記点灯モードに設定されている前記放電セルのみを繰り返し放電発光させるべき駆動パルスを印加する駆動行程と、
前記入力映像信号の最大輝度レベルが所定輝度レベルよりも低い場合に限り、前記特定サブフィールド群内の所定の１サブフィールドに後続するサブフィールド各々の内の少なくとも１のサブフィールドにおいて前記駆動パルスの印加を停止させる制御行程と、を有することを特徴とするプラズマディスプレイパネルの駆動方法。
【請求項２】
前記駆動行程は、前記特定サブフィールド群内の先頭のサブフィールドのみで全ての前記放電セルを点灯モードの状態に初期化するリセット行程と、前記サブフィールド各々において前記行電極対各々の一方の行電極に走査パルスを順次印加しつつ前記入力映像信号によって示される輝度レベルに応じた電圧を有する画素データパルスを前記列電極各々に印加して前記放電セル各々を選択的に消去放電させることにより前記放電セルの各々を選択的に消灯モードの状態に遷移させるアドレス行程と、前記サブフィールド各々において前記行電極対の各々にサスティンパルスを印加することにより前記点灯モードの状態にある前記放電セルのみを繰り返し放電発光させるサスティン行程と、を含むことを特徴とする請求項１記載のプラズマディスプレイパネルの駆動方法。
【請求項３】
前記駆動パルスは、前記画素データパルス及び前記サスティンパルスであることを特徴とする請求項２記載のプラズマディスプレイパネルの駆動方法。
【請求項４】
前記駆動パルスは、前記走査パルス及び前記サスティンパルスであることを特徴とする請求項２記載のプラズマディスプレイパネルの駆動方法。
【請求項５】
前記所定輝度レベルは輝度レベル０よりも１段階だけ高輝度な輝度レベルであることを特徴とする請求項１記載のプラズマディスプレイパネルの駆動方法。
【請求項６】
前記制御行程では、前記入力映像信号の平均輝度レベルが所定の第１輝度レベルよりも低く、且つ前記入力映像信号における最大輝度レベルが前記第１輝度レベルよりも大である第２輝度レベルよりも低い場合に限り、前記特定サブフィールド群内の所定の１サブフィールドに後続するサブフィールド各々の内の少なくとも１のサブフィールドにおいて前記駆動パルスの印加を停止させることを特徴とする請求項１記載のプラズマディスプレイパネルの駆動方法。
【請求項７】
複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、
前記単位表示期間内において互いに隣接するＭ個（Ｍ：Ｎ以下の整数）のサブフィールドからなるサブフィールド群内の先頭のサブフィールドのみで、全ての前記放電セルを点灯モードの状態に初期化するリセット行程を実行し、
前記サブフィールド群内において、入力映像信号によって示される輝度レベルに応じた１のサブフィールドにて第１の画素データパルスを前記列電極に印加しつつ前記行電極対の一方の行電極に走査パルスを印加することにより前記放電セルを消灯モードの状態に遷移させるべき選択放電を生起させた後、前記１のサブフィールドに後続するサブフィールド各々において再び前記選択放電を生起させるべき第２の画素データパルスを前記列電極に印加しつつ前記行電極対の一方の行電極に走査パルスを印加するアドレス行程と、前記放電セル各々にサスティンパルスを印加することにより前記点灯モードに設定されている前記放電セルのみを繰り返しサスティン放電させるサスティン行程と、を実行し、
前記入力映像信号における最大輝度レベルが所定の第１輝度レベルよりも低い場合に限り、前記サブフィールド群内の所定の１サブフィールドに後続するサブフィールド各々の内の少なくとも１のサブフィールドにおいて、前記第２の画素データパルス及び前記サスティンパルス、又は前記走査パルス及び前記サスティンパルスの印加を停止させることを特徴とするプラズマディスプレイパネルの駆動方法。
【請求項８】
前記所定輝度レベルは輝度レベル０よりも１段階だけ高輝度な輝度レベルであることを特徴とする請求項７記載のプラズマディスプレイパネルの駆動方法。
【請求項９】
前記制御行程では、前記入力映像信号の平均輝度レベルが所定の第１輝度レベルよりも低く、且つ前記入力映像信号における最大輝度レベルが前記第１輝度レベルよりも大である第２輝度レベルよりも低い場合に限り、前記サブフィールド群内の所定の１サブフィールドに後続するサブフィールド各々の内の少なくとも１において、前記第２の画素データパルス及び前記サスティンパルス、又は前記走査パルス及び前記サスティンパルスの印加を停止させることを特徴とする請求項７記載のプラズマディスプレイパネルの駆動方法。
【請求項１０】
前記制御行程では、前記入力映像信号の平均輝度レベルが前記第１輝度レベルよりも低く、且つ前記入力映像信号における最大輝度レベルが前記第２輝度レベル以上の場合には、前記１サブフィールドに後続するサブフィールド各々の内の少なくとも１のサブフィールドにおいて、前記第２の画素データパルス、前記サスティンパルス、前記走査パルス及び前記サスティンパルスの内の前記第２の画素データパルスのみその印加を停止させることを特徴とする請求項９記載のプラズマディスプレイパネルの駆動方法。
【発明の詳細な説明】
【技術分野】
【０００１】
本発明は、マトリクス表示方式のプラズマディスプレイパネル（以下、ＰＤＰと称する）の駆動方法に関する。
【背景技術】
【０００２】
現在、薄型の画像表示装置として、ＡＣ型(交流放電型)のプラズマディスプレイパネルを搭載したプラズマディスプレイ装置が製品化されている（例えば特許文献１の図２参照）。
【０００３】
かかるプラズマディスプレイ装置に搭載されているプラズマディスプレイパネルとしてのＰＤＰ１０には、アドレス電極としての列電極Ｄ1〜Ｄmと、これら列電極と直交して配列されている行電極Ｘ1〜Ｘn及び行電極Ｙ1〜Ｙnを備えている。このＰＤＰ１０においては、互いに隣接する一対の行電極Ｘ及びＹと、列電極との各交叉部に画素に対応した放電セルが形成される構造となっている。
【０００４】
このプラズマディスプレイ装置では、上記ＰＤＰ１０に対してサブフィールド法を用いた階調駆動を実施することにより、入力映像信号に対応した画像表示を行う（例えば特許文献１の図３〜図５参照）。つまり、１フィールド表示期間毎に、１４個のサブフィールドＳＦ１〜ＳＦ１４各々内にて、入力映像信号に基づき各放電セルを点灯モード及び消灯モードのいずれか一方に設定する画素データ書込行程Ｗｃと、点灯モードに設定されている放電セルのみを繰り返し放電発光させる維持発光行程Ｉｃとを実施する。更に、先頭のサブフィールドのみで、全ての放電セルの状態を初期化するリセット行程Ｉｃを実行する。尚、リセット行程Ｉｃでは、全放電セルに対して一斉にリセット放電を生起させて、各放電セル内に所望量の壁電荷を形成させることにより全ての放電セルを点灯モードの状態に初期化する。
【０００５】
又、画素データ書込行程Ｗｃでは、入力映像信号に基づき各放電セルを点灯モード及び消灯モードのいずれか一方に設定すべく、行電極の各々に順次負極性の走査パルスを印加しつつ、消灯モードに設定すべき放電セルが属する列電極には高電圧、点灯モードに設定すべき放電セルが属する列電極には低電圧の画素データパルスを印加する。これにより、高電圧の画素データパルスが印加された放電セルのみに、その放電セル内の列電極及び行電極間にて放電（選択消去放電）が生起される。かかる選択消去放電により、この放電セル内に存在する壁電荷が消去され、この放電セルは消灯モードに設定される。一方、低電圧の画素データパルスが印加された放電セル内には上記の如き放電が生起されないので、その直前までの状態が維持される。つまり、所望量の壁電荷が残留していた放電セルは点灯モード、壁電荷量が所望量に充たない状態にあった放電セル消灯モードに夫々維持される。
【０００６】
ここで、１フィールド表示期間内の各サブフィールドの内の１のサブフィールドのみで上記選択消去放電を生起させることにより、この選択消去放電が生起されるまでの間の各サブフィールドの維持発光行程Ｉｃにて連続して放電発光が為され、その放電発光の総数に対応した輝度が視覚される（例えば特許文献１の図５参照）。
【０００７】
しかしながら、画素データ書込行程Ｗｃにおいて放電セルを消灯モードに設定させるべく、その放電セルが属する列電極に高電圧の画素データパルスを印加しても、上記選択消去放電が正しく生起されない場合が生じた。
【０００８】
そこで、消灯モードに設定すべき放電セルに対しては、選択消去放電を生起させる画素データパルスを、連続したサブフィールド各々の画素データ書込行程Ｗｃにて繰り返し印加することにより選択消去放電の機会を増加させて、この放電を確実に生起させるようにした駆動方法が提案された（例えば特許文献１の図２９参照）。
【０００９】
ところが、各放電セルを選択消去放電を生起させるべき画素データパルスが周期的に列電極に印加されると、この列電極が形成されている背面基板（図示せぬ）及び行電極が形成されている前面透明基板（図示せぬ）が振動する場合があり、それに伴う耳障りな異常音が発生するという問題が生じた。
【特許文献１】特開２０００−２３１３６２号公報
【発明の開示】
【発明が解決しようとする課題】
【００１０】
本発明は、上記の問題を解決するためになされたものであり、プラズマディスプレイパネル自体が振動することによる異常音を除去することが可能なプラズマディスプレイパネルの駆動方法を提供することを目的とする。
【課題を解決するための手段】
【００１１】
請求項１記載によるプラズマディスプレイパネルの駆動方法は、複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、前記単位表示期間内において連続配置されたＭ個（Ｍ：Ｎ以下の整数）のサブフィールドからなる特定サブフィールド群内において、入力映像信号によって示される輝度レベルに応じた数だけ先頭のサブフィールドから連続したサブフィールド各々からなる点灯維持サブフィールド群内の各サブフィールドで前記放電セルを点灯モードに設定する一方、前記点灯維持サブフィールド群に後続するサブフィールド各々では前記放電セルを消灯モードに設定すると共に、前記サブフィールド各々内において前記点灯モードに設定されている前記放電セルのみを繰り返し放電発光させるべき駆動パルスを印加する駆動行程と、前記入力映像信号の最大輝度レベルが所定輝度レベルよりも低い場合に限り、前記特定サブフィールド群内の所定の１サブフィールドに後続するサブフィールド各々の内の少なくとも１のサブフィールドにおいて前記駆動パルスの印加を停止させる制御行程と、を有する。
【００１２】
又、請求項７記載によるプラズマディスプレイパネルの駆動方法は、複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、前記単位表示期間内において互いに隣接するＭ個（Ｍ：Ｎ以下の整数）のサブフィールドからなるサブフィールド群内の先頭のサブフィールドのみで、全ての前記放電セルを点灯モードの状態に初期化するリセット行程を実行し、前記サブフィールド群内において、入力映像信号によって示される輝度レベルに応じた１のサブフィールドにて第１の画素データパルスを前記列電極に印加しつつ前記行電極対の一方の行電極に走査パルスを印加することにより前記放電セルを消灯モードの状態に遷移させるべき選択放電を生起させた後、前記１のサブフィールドに後続するサブフィールド各々において再び前記選択放電を生起させるべき第２の画素データパルスを前記列電極に印加しつつ前記行電極対の一方の行電極に走査パルスを印加するアドレス行程と、前記放電セル各々にサスティンパルスを印加することにより前記点灯モードに設定されている前記放電セルのみを繰り返しサスティン放電させるサスティン行程と、を実行し、前記入力映像信号における最大輝度レベルが所定の第１輝度レベルよりも低い場合に限り、前記サブフィールド群内の所定の１サブフィールドに後続するサブフィールド各々の内の少なくとも１のサブフィールドにおいて、前記第２の画素データパルス及び前記サスティンパルス、又は前記走査パルス及び前記サスティンパルスの印加を停止させる。
【発明を実施するための最良の形態】
【００１３】
入力映像信号によって示される輝度レベルに応じた数だけ連続したサブフィールド各々において放電セルを放電発光させるべき駆動パルスを印加するにあたり、入力映像信号の最大輝度レベルが所定輝度レベルよりも低い場合には所定の１サブフィールドに後続するサブフィールド各々の内の少なくとも１のサブフィールドにおいて上記駆動パルスの印加を停止する。
【実施例１】
【００１４】
以下、本発明の実施例を図を参照しつつ説明する。
【００１５】
図１は、本発明による駆動方法に基づいてプラズマディスプレイパネル（以下、ＰＤＰと称する）を発光駆動するプラズマディスプレイ装置の概略構成を示す図である。
【００１６】
図１において、プラズマディスプレイパネルとしてのＰＤＰ１０は、２次元表示画面の縦方向（垂直方向）に夫々伸張して配列された列電極Ｄ1〜Ｄm、横方向（水平方向）に夫々伸張して配列された行電極Ｘ1〜Ｘn及び行電極Ｙ1〜Ｙnが形成されている。尚、互いに隣接する一対の行電極Ｘ及びＹにて、ＰＤＰ１０の１表示ライン分の表示を行う。これら行電極Ｘ1〜Ｘn及びＹ1〜Ｙnと、列電極Ｄ1〜Ｄmとの間には放電ガスが封入された放電空間（図示せぬ）が設けられており、この放電空間を含む行電極と列電極との各交叉部に画素に対応した放電セルが形成される構造となっている。
【００１７】
Ａ／Ｄ変換器１は、アナログの入力映像信号をサンプリングしてこれを各画素に対応した例えば８ビットの画素データＰＤに変換し、これをピーク輝度検出回路２及び画素駆動データ生成回路３の各々に供給する。
【００１８】
ピーク輝度検出回路２は、上記画素データＰＤに基づき、入力映像信号における画像１フレーム分（又は１フィールド分）毎の最大輝度レベル、つまりピーク輝度レベルを検出し、そのピーク輝度レベルを示すピーク輝度信号ＰＬを駆動制御回路４に供給する。
【００１９】
画素駆動データ生成回路３は、画素データＰＤに対して多階調化処理を施した後、ＰＤＰ１０の各放電セルを各サブフィールド毎に点灯モード及び消灯モードのいずれか一方に設定すべき１４ビットの画素駆動データＧＤに変換し、これをメモリ５に供給する。
【００２０】
図２は、かかる画素駆動データ生成回路３の内部構成の一例を示す図である。
【００２１】
図２において、多階調化処理回路３１は、８ビットの画素データＰＤに対して誤差拡散処理及びディザ処理を施す。例えば、上記誤差拡散処理では、先ず、画素データＰＤの上位６ビット分を表示データ、残りの下位２ビット分を誤差データと捉える。そして、周辺画素各々に対応した上記画素データＰＤの各誤差データを重み付け加算したものを、上記表示データに反映させる。かかる動作により、原画素における下位２ビット分の輝度が上記周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算してディザ加算画素データを得る。かかるディザ係数の加算によれば、上記１画素単位で眺めた場合には、上記ディザ加算画素データの上位４ビット分だけでも８ビットに相当する輝度を表現することが可能となる。そこで、多階調化処理回路３１は、上記ディザ加算画素データの上位４ビット分を多階調化画素データＰＤSとしてデータ変換回路３２に供給する。
【００２２】
データ変換回路３２は、図３に示すデータ変換テーブルに従って上記多階調化画素データＰＤSを１４ビットの画素駆動データＧＤに変換する。尚、画素駆動データＧＤの第１〜第１４ビットは、夫々後述するサブフィールドＳＦ１〜ＳＦ１４各々に対応している。
【００２３】
メモリ５は、駆動制御回路４から供給された書込信号に従って上記画素駆動データＧＤを順次書き込む。そして、１画面分、つまり第１行・第１列の画素に対応した画素駆動データＧＤ11から、第ｎ行・第ｍ列の画素に対応した画素駆動データＧＤnmまでの(ｎ×ｍ)個分の画素駆動データＧＤの書き込みが終了すると、メモリ５は、以下の如き読み出し動作を行う。
【００２４】
先ず、メモリ５では、書き込まれた１画面分の画素駆動データＧＤ(1,1)〜ＧＤ(n,m)各々を、各ビット桁(第１ビット〜第１４ビット)毎に分割した画素駆動データビットＤＢ１〜ＤＢ１４と捉える。そして、メモリ５は、後述するサブフィールドＳＦ１のアドレス行程Ｗにおいて、画素駆動データビットＤＢ１(1,1)〜ＤＢ１(n,m)を１表示ライン分ずつ読み出してアドレスドライバ６に供給する。又、後述するサブフィールドＳＦ２のアドレス行程Ｗでは、メモリ５は、上記画素駆動データビットＤＢ２(1,1)〜ＤＢ２(n,m)を１表示ライン分ずつ読み出してアドレスドライバ６に供給する。以下、同様にして、メモリ５は、後述するサブフィールドＳＦ３〜ＳＦ１４の各アドレス行程Ｗにて、画素駆動データビットＤＢ３〜ＤＢ１４を１表示ライン分ずつ読み出してアドレスドライバ６に供給するのである。
【００２５】
駆動制御回路４は、上記入力映像信号中の水平及び垂直同期信号に同期して、上記Ａ／Ｄ変換器１に供給すべきクロック信号、及びメモリ５に供給すべき書込及び読出信号を生成する。更に、駆動制御回路４は、画像１フレーム（又は１フィールド）分の入力映像信号が供給される度に、図４に示されるが如きパネル駆動制御ルーチンに従った制御動作を実行する。
【００２６】
図４において、先ず、駆動制御回路４は、上記ピーク輝度信号ＰＬによって示される画像１フレーム分（又は１フィールド分）のピーク輝度レベルが所定輝度レベルＬＬよりも小であるか否かを判定する（ステップＳ１）。かかるステップＳ１において、小ではないと判定された場合には、駆動制御回路４は、駆動モードＡに基づく駆動を実施する（ステップＳ２）一方、小であると判定された場合には駆動モードＢに基づく駆動を実施する（ステップＳ３）。
【００２７】
かかる駆動モードＡでは、駆動制御回路４は、図５に示す如き発光駆動シーケンスに従ってＰＤＰ１０を階調駆動させるべき各種タイミング信号を、アドレスドライバ６、Ｘ電極ドライバ７及びＹ電極ドライバ８各々に供給する。尚、図５に示す発光駆動シーケンスにおいては、単位表示期間（１フレーム又は１フィールド表示期間）毎に、１４個のサブフィールドＳＦ１〜ＳＦ１４各々に基づく駆動を実施する。これらサブフィールドＳＦ１〜ＳＦ１４各々では、アドレス行程Ｗ及びサスティン行程Ｉを夫々実行する。アドレス行程Ｗでは、入力映像信号に応じてＰＤＰ１０の各放電セルを点灯モード及び消灯モードのいずれか一方に設定する。サスティン行程Ｉでは、点灯モードに設定されている放電セルのみを繰り返しサスティン放電させてその放電に伴う発光状態を維持させる。尚、先頭のサブフィールドＳＦ１に限りアドレス行程Ｗの直前において、全ての放電セルを点灯モードの状態に初期化するリセット行程Ｒを実行する。
【００２８】
アドレスドライバ６、Ｘ電極ドライバ７及びＹ電極ドライバ８各々は、駆動制御回路４から供給された各種タイミング信号に応じて、各サブフィールドにおいて図６に示す如き各種駆動パルスを発生し、ＰＤＰ１０の行電極Ｘ及びＹに印加する。尚、図６では、サブフィールドＳＦ１及びＳＦ２のみを抜粋して、各駆動パルスの印加動作を示す。
【００２９】
先ず、図６に示されるリセット行程Ｒでは、第１サスティンドライバ７及び第２サスティンドライバ８が、ＰＤＰ１０の行電極Ｘ1〜Ｘn及びＹ1〜Ｙn各々に対してリセットパルスＲＰx及びＲＰYを同時に印加する。リセットパルスＲＰx及びＲＰYの印加に応じて、ＰＤＰ１０の全放電セルにおいてリセット放電が生起される。かかるリセット放電の終息後、各放電セル内には一様に所定量の壁電荷が形成され、ＰＤＰ１０における全ての放電セルは点灯モードに初期化される。
【００３０】
アドレス行程Ｗでは、アドレスドライバ６は、画素駆動データビットＤＢが論理レベル０である場合には０ボルト、論理レベル１である場合には正極性の所定電圧を有する画素データパルスを発生し、これを１表示ライン分（ｍ個）ずつ列電極Ｄ1〜Ｄmに印加して行く。例えば、サブフィールドＳＦ１のアドレス行程Ｗでは、アドレスドライバ６は、先ず、図６に示す如くＰＤＰ１０の第１表示ラインに対応したｍ個の画素駆動データビットＤＢ１(1,1)〜ＤＢ１(1,m)各々の論理レベルに応じたｍ個の画素データパルスＤＰ１1を生成し、夫々列電極Ｄ1〜Ｄmに同時に印加する。次に、ＰＤＰ１０の第２表示ラインに対応したｍ個の画素駆動データビットＤＢ１(2,1)〜ＤＢ１(2,m)各々の論理レベルに応じたｍ個の画素データパルスＤＰ１2を生成し、夫々列電極Ｄ1〜Ｄmに同時に印加する。以下同様にして、アドレスドライバ６は、ＰＤＰ１０の第３，第４，・・・，第ｎ表示ライン各々に対応した画素駆動データビットＤＢ１(3,1)〜ＤＢ１(3,m)，ＤＢ１(4,1)〜ＤＢ１(4,m)，・・・，ＤＢ１(n,1)〜ＤＢ１(n,m)各々の論理レベルに応じた夫々ｍ個の画素データパルス群ＤＰ１3，ＤＰ１4，・・・，ＤＰ１nを順次、列電極Ｄ1〜Ｄmに印加して行く。この間、Ｙ電極ドライバ８は、各画素データパルス群ＤＰの印加タイミングと同一タイミングにて、図６に示されるが如き負極性の走査パルスＳＰを発生し、これを行電極Ｙ1〜Ｙnへと順次印加して行く。この際、走査パルスＳＰが印加された行電極Ｙと、正極性の所定電圧の画素データパルスが印加された列電極との交叉部の放電セルにのみ放電（選択消去放電）が生じ、その放電セル内に残存していた壁電荷が消去される。従って、この放電セルは、消灯モードに設定される。尚、上記の如き正極性の所定電圧の画素データパルスが印加されなかった列電極に属する放電セルには選択消去放電は生起されないので、この放電セルは直前までの状態を維持する。つまり、所定量の壁電荷が残存する放電セルは点灯モード、一方、壁電荷の量が所定量に充たない放電セルは消灯モードの状態をそのまま維持する。
【００３１】
サスティン行程Ｉでは、Ｘ電極ドライバ７及びＹ電極ドライバ８各々が、以下の如き、各サブフィールドに割り当てられている輝度重み付け値に対応した数だけ、図６に示す如きサスティンパルスＩＰX及びＩＰYを行電極Ｘ1〜Ｘn及びＹ1〜Ｙnに繰り返し印加する。
【００３２】
ＳＦ１：１
ＳＦ２：３
ＳＦ３：５
ＳＦ４：８
ＳＦ５：１０
ＳＦ６：１３
ＳＦ７：１６
ＳＦ８：１９
ＳＦ９：２２
ＳＦ10：２５
ＳＦ11：２８
ＳＦ12：３２
ＳＦ13：３５
ＳＦ14：３９
すると、上記サスティンパルスＩＰX及びＩＰYが印加される度に点灯モードに設定されている放電セルのみが放電（サスティン放電）し、その放電に伴う発光状態が維持される。
【００３３】
ここで、サブフィールドＳＦ１〜ＳＦ１４各々のサスティン行程Ｉにおいて各放電セルをサスティン放電させるか否かは、図３に示す如き画素駆動データＧＤに応じて決定される。
【００３４】
かかる画素駆動データＧＤにより、入力映像信号にて示される輝度レベルに応じた数だけ先頭のサブフィールドから連続したサブフィールド各々（点灯維持サブフィールド群と称する）にて放電セルを点灯モードに設定し、この点灯維持サブフィールド内の各サブフィールドにて連続して放電セルをサスティン放電させるべき駆動が実施される。そして、上記点灯維持サブフィールド群に後続するサブフィールド各々において放電セルを消灯モードに遷移させるべき駆動が為されるのである。
【００３５】
すなわち、図３の発光駆動パターンＡにて示されるように、表現すべき輝度レベルに応じた１のサブフィールド（黒丸印にて示す）のアドレス行程Ｗにて、第１回目の選択消去放電を生起させるべき画素データパルスが列電極に印加される。かかる選択消去放電により放電セルは消灯モードの状態に遷移する。よって、先頭のサブフィールドＳＦ１のリセット行程Ｒにおいて点灯モードに初期化された放電セルは、この第１回目の選択消去放電が生起されるまでの間に存在する各サブフィールド（白丸印にて示す）で点灯モードとなり、これらサブフィールド各々において連続して放電セルがサスティン放電するのである。
【００３６】
この際、単位表示期間内のサブフィールド各々のサスティン行程Ｉにおいて生起されたサスティン放電の総数に対応した中間輝度が視覚される。駆動モードＡの実行（ステップＳ２）によれば、図５に示す発光駆動シーケンスに基づき、図３の発光駆動パターンＡにて示されるが如き１５種類の駆動の内の１が画素駆動データＧＤに応じて選択的に実施される。
【００３７】
これにより、夫々の発光輝度比が、
｛0、1、4、9、17、27、40、56、75、97、122、150、182、217、255｝
なる１５階調分の中間輝度が表現されるのである。
【００３８】
ここで、駆動モードＡでは、表現すべき輝度階調レベルに応じた１のサブフィールド（黒丸印にて示す）にて、第１回目の選択消去放電を生起させるべく正極性の所定電圧の画素データパルスを列電極に印加しているが、この画素データパルスの印加が為されても第１回目の選択消去放電が生起されない場合があった。そこで、駆動モードＡでは、図３の発光駆動パターンＡに示す如く、第１回目の選択消去放電（黒丸印にて示す）を生起させるべき駆動を実施した後も、最後尾のサブフィールドＳＦ１４までの各サブフィールドにおいて繰り返し第２回目以降の選択消去放電（黒三角印にて示す）を生起させるべき駆動を実施するようにしている。
【００３９】
しかしながら、選択消去放電を生起させるべき画素データパルスが連続したサブフィールド各々において周期的に列電極に印加されると、各サブフィールドの周期によってはＰＤＰ１０の前面透明基板及び背面基板が振動する場合があり、それに伴い耳障りな異常音が発生する。特に、図３の発光駆動パターンＡに示されるように、低輝度の表示を行う場合には高輝度の表示を行う場合に比して、第２回目以降の選択消去放電（図３の黒三角印にて示す）を生起させるべきサブフィールドの数が多くなるので、異常音の発生確率が高くなる。
【００４０】
そこで、駆動制御回路４は、画像１フレーム毎のピーク輝度レベルが所定輝度レベルよりも小である場合には、上記駆動モードＡ（ステップＳ２）に代わり駆動モードＢを実行（ステップＳ３）するのである。
【００４１】
駆動モードＢにおいて、駆動制御回路４は、駆動モードＡと同様に図５に示す如き発光駆動シーケンスに従った駆動を実施する。但し、駆動モードＢでは、図５に示すサブフィールドＳＦ１〜ＳＦ１４の内で、所定の１サブフィールドの直後に後続するサブフィールド各々の内の少なくとも１において、各種駆動パルス（後述する）の印加動作を停止させる。かかる駆動モードＢの実行により、ＰＤＰ１０の行電極が形成されている前面透明基板と、列電極が形成されている背面基板とが振動することによって発生する耳障りな異常音を抑制させる。
【００４２】
以下に、図５に示すサブフィールドＳＦ１〜ＳＦ１４の内でＳＦ６よりも後方に、上述した如き異常音を誘発する周期を有するサブフィールドが存在し、且つ各放電セルを輝度レベル「０」〜「２５５」なる範囲にて階調駆動させる場合を想定して、上記駆動モードＢを実行した際に為される駆動動作を説明する。
【００４３】
この際、サブフィールドＳＦ１〜ＳＦ６の実行時には異常音が発生しないので、これらＳＦ１〜ＳＦ６にて表現可能な最大輝度レベル、つまり図３の発光駆動パターンＡに示す如きＳＦ１〜ＳＦ６の全てで放電セルをサスティン放電発光させる場合の輝度レベル「４０」を上記所定輝度レベルＬＬとして設定する。よって、図４に示されるパネル駆動制御ルーチンの実行により、駆動制御回路４は、ピーク輝度信号ＰＬによって示されるピーク輝度レベルが所定輝度レベルＬＬ、つまり輝度レベル「４０」よりも大である場合には駆動モードＡ、小である場合には駆動モードＢを実行する。
【００４４】
駆動モードＢの実行により、図５に示すサブフィールドＳＦ１〜ＳＦ１４の内で、サブフィールドＳＦ６の直後に後続するＳＦ７〜ＳＦ１４各々の内の少なくとも１において、以下に示す如き各種駆動パルスの印加が停止する。すなわち、図３に示す第２回目以降の選択消去放電（図３の黒三角印にて示す）を生起させる為の画素データパルス、サスティンパルスＩＰX及びＩＰYの印加を停止、あるいは走査パルスＳＰ、サスティンパルスＩＰX及びＩＰYの印加を停止するのである。例えば、サブフィールドＳＦ１〜ＳＦ１４の内でＳＦ６に後続するＳＦ７〜ＳＦ１４の全てにおいて、上記の如き各種駆動パルスの印加動作を停止させると、図７の発光駆動パターンＢにて示されるが如き６種類の駆動の内の１が画素駆動データＧＤに応じて選択的に実施される。これにより、夫々の発光輝度比が、
｛0、1、4、9、17、27、40｝
なる７階調分の中間輝度が表現される。
【００４５】
すなわち、入力映像信号のピーク輝度レベルが所定輝度レベルＬＬ、つまり輝度レベル「４０」よりも小であれば、１フレーム分の画像表示はサブフィールドＳＦ１〜ＳＦ６のみを用いれば実現できるので、この際、残りのサブフィールドＳＦ７〜ＳＦ１４各々での各種駆動パルスの印加動作を停止させたのである。これにより、例えサブフィールドＳＦ６よりも後方に異常音を誘発する周期を有するサブフィールドが含まれていても、この間、駆動パルスの印加が為されないので、パネル振動に伴う異常音の発生が抑制される。
【００４６】
要するに、画像１フレーム分毎のピーク輝度レベルが所定輝度レベルＬＬよりも低い場合には、この所定輝度レベルＬＬより大なる輝度レベルを表現する際に用いるサブフィールドにおいて駆動パルスの印加を停止させることにより、パネル振動に伴う異常音を抑制させるのである。
【００４７】
尚、図３に示される発光駆動パターンＡでは、第２回目以降の選択消去放電（黒三角印にて示す）を最後尾のサブフィールドＳＦ１４まで連続して実行するようにしているが、必ずしも最後尾のサブフィールドに到るまで連続して実行する必要はない。
【００４８】
尚、図３に示すように、１フレーム表示期間内において選択消去放電を生起させるべき駆動を行う回数が最も多くなるのは、表現すべき輝度レベルが０となるときである。すなわち、サブフィールドＳＦ１〜ＳＦ１４各々が全て異常音を誘発する周期であった場合には、表示画面の全面が輝度レベル０となる、いわゆる黒表示時において最もパネル振動（異常音）の発生確率が高いといえる。
【００４９】
そこで、黒表示を行う場合に限り、全てのサブフィールドにおいて駆動パルスの印加を停止させるようにしても良い。すなわち、上記所定輝度レベルＬＬを、黒表示となる際の輝度レベルよりも１段階だけ高輝度な輝度レベルに設定するのである。
【００５０】
又、上記実施例においては、表現すべき階調輝度レベルに応じた数だけ連続したサブフィールドにてサスティン放電を実行するサブフィールド群（ＳＦ１〜ＳＦ１４）を１フレーム（１フィールド）表示期間内に１つだけ設けるようにしている。しかしながら、このような特定サブフィールド群を１フレーム（１フィールド）表示期間内において複数個設けるようにした場合にも同様に適用可能である。すなわち、単位表示期間内のＮ個（Ｎ：２以上の整数）のサブフィールドの内で連続配置されたＭ個（Ｍ：Ｎ以下の整数）のサブフィールドからなる特定サブフィールド群内において、表現すべき階調輝度レベルに応じた数だけ連続したサブフィールドにてサスティン放電を生起させるような駆動であれば、同様に適用可能なのである。
【実施例２】
【００５１】
図８は、本発明の他の実施例による駆動方法に基づいてＰＤＰを駆動するプラズマディスプレイ装置の構成を示す図である。
【００５２】
図８に示されるプラズマディスプレイ装置においては、図１に示されるプラズマディスプレイ装置に平均輝度演算回路９を付加したものであり、その基本的な動作は図１に示されるものと同一である。但し、かかる平均輝度演算回路９によって求められた平均輝度レベルに応じて為される駆動制御回路４の制御動作の一部が、図１に示されるものとは異なる。よって、以下に、平均輝度演算回路９の動作、並びに駆動制御回路４による制御動作について説明する。
【００５３】
平均輝度演算回路９は、入力映像信号による画像１フレーム分（又は１フィールド分）毎の平均輝度レベルを算出し、その平均輝度レベルを示す平均輝度信号ＡＰＬを駆動制御回路４に供給する。駆動制御回路４は、画像１フレーム（又は１フィールド）分の入力映像信号が供給される度に、図９に示されるが如きパネル駆動制御ルーチンに従った制御動作を実行する。
【００５４】
図９において、先ず、駆動制御回路４は、平均輝度信号ＡＰＬによって示される平均輝度レベルが所定の第１輝度レベルＬ１よりも小であるか否かを判定する（ステップＳ１１）。かかるステップＳ１１において、小であると判定された場合、駆動制御回路４は、次に上記ピーク輝度信号ＰＬによって示される画像１フレーム分（又は１フィールド分）のピーク輝度レベルが所定の第２輝度レベルＬ２よりも小であるか否かを判定する（ステップＳ１２）。かかるステップＳ１２において小ではないと判定された場合、又は上記ステップＳ１１において平均輝度信号ＡＰＬによって示される平均輝度レベルが所定輝度レベルＬ１よりも小ではないと判定された場合、駆動制御回路４は、前述した如き駆動モードＡに基づく駆動を実施する（ステップＳ１３）。一方、上記ステップＳ１２において、上記ピーク輝度信号ＰＬによって示される画像１フレーム分（又は１フィールド分）のピーク輝度レベルが第２輝度レベルＬ２よりも小であると判定された場合、駆動制御回路４は、前述した如き駆動モードＢに基づく駆動を実施する（ステップＳ１４）。
【００５５】
すなわち、図８に示されるプラズマディスプレイ装置においては、入力映像信号のピーク輝度レベルが所定の第２輝度レベルＬ２よりも小であり、且つその平均輝度レベルが所定の第１輝度レベルＬ１よりも小である場合には上記駆動モードＢ、それ以外の場合には上記駆動モードＡに基づく駆動を実施するのである。
【００５６】
例えば、平均輝度レベルが第１輝度レベルＬ１（例えば輝度レベル「２０」）よりも小となるような暗い画像を表示する際には、第２回目以降の選択消去放電（黒三角印にて示す）を生起させるべき回数が多くなる。そこで、この際、駆動モードＢに基づく駆動、つまり、図５に示すサブフィールドＳＦ１〜ＳＦ１４の内で、所定の１サブフィールドの直後に後続するサブフィールド各々の内の少なくとも１において、各種駆動パルスの印加動作を停止させるのである。これにより、上記の如き所定の１サブフィールドの後方に異常音を誘発する周期を有するサブフィールドが含まれていても、この間、駆動パルスの印加が為されないので、パネル振動（異常音）の発生確率が低下する。
【００５７】
ところが、例え画像１フレームにおける平均輝度レベルが上記第１輝度レベルＬ１よりも小であっても、この画像１フレーム内でのピーク輝度レベルが高い場合には、かかるピーク輝度レベルに対応した高輝度な表示を行わなければならない。
【００５８】
そこで、図８に示されるプラズマディスプレイ装置においては、平均輝度レベルが所定の第１輝度レベルＬ１よりも小であり、且つそのピーク輝度レベルが所定の第２輝度レベルＬ２（Ｌ２＞Ｌ１）よりも小である場合に限り、上述した如き駆動モードＢに基づく駆動を実施するようにしたのである。尚、平均輝度レベルが第１輝度レベルＬ１よりも小であり、且つそのピーク輝度レベルが第２輝度レベルＬ２以上である場合には、上記駆動モードＡに基づく駆動に代わり、以下の如き駆動を実施するようにしても良い。すなわち、平均輝度レベルが第１輝度レベルＬ１よりも小であり、且つそのピーク輝度レベルが第２輝度レベルＬ２以上である場合には、上記の如き所定の１サブフィールドに後続するサブフィールド各々の内の少なくとも１のサブフィールドにおいて第２番目以降に印加すべき画素データパルスのみ、その印加を停止させるのである。かかる駆動によれば、上記駆動モードＡに基づく駆動を実施する場合に比して画素データパルスの印加回数が減るので、パネル振動（異常音）の発生確率を低下させることができる。
【図面の簡単な説明】
【００５９】
【図１】本発明による駆動方法によってプラズマディスプレイパネルの駆動を行うプラズマディスプレイ装置の構成を示す図である。
【図２】図１に示される画素駆動データ生成回路３の内部構成を示す図である。
【図３】画素駆動データのデータ変換テーブル、並びに発光駆動パターンＡによる駆動状態を示す図である。
【図４】パネル駆動制御ルーチンを示す図である。
【図５】図１に示されるＰＤＰ１０を駆動する際の発光駆動シーケンスの一例を示す図である。
【図６】図１に示されるＰＤＰ１０に印加される各種駆動パルスの印加タイミングを示す図である。
【図７】発光駆動パターンＢによる駆動状態を示す図である。
【図８】本発明による他の駆動方法によってプラズマディスプレイパネルの駆動を行うプラズマディスプレイ装置の構成を示す図である。
【図９】図８に示されるプラズマディスプレイ装置において用いられるパネル駆動制御ルーチンを示す図である。
【主要部分の符号の説明】
【００６０】
２    ピーク輝度検出回路
３    画素駆動データ生成回路
４    駆動制御回路
９    平均輝度演算回路
１０  ＰＤＰ
【図１】
2006251336.tif 000003
【図２】
2006251336.tif 000004
【図３】
2006251336.tif 000005
【図４】
2006251336.tif 000006
【図５】
2006251336.tif 000007
【図６】
2006251336.tif 000008
【図７】
2006251336.tif 000009
【図８】
2006251336.tif 000010
【図９】
2006251336.tif 000011